(57)【要約】【課題】  柱材を人手により立てて該柱材の下端面に形成したホゾを大引または床梁の上面に開けたホゾ穴に嵌め込む作業において、体重を柱材に掛けることができて、ホゾをホゾ穴に嵌め込むことが容易に行えること。【解決手段】  柱材を人手により立てて該柱材の下端面に形成したホゾを大引または床梁の上面に開けたホゾ穴に嵌め込むに際して、請求項１又は２に記載の足踏み拘束式柱負荷具の矩形湾部に前記柱材の下端部を側面から相対的に嵌入させかつ柱係合部の矩形湾部に望む対向縁部を柱材の互いに正面と裏面となる一対の面に係止させて足踏み部を柱材の下端部正面側に張出させて、前記足踏み部に大工が足を載せて体重を前記柱材に掛けて前記ホゾを前記ホゾ穴に嵌め込んで前記大引または床梁の上面に前記柱材を立て組みする。【選択図】    図３
2006161437.tif 000002
【特許請求の範囲】
【請求項１】
荷重を加えても折り曲がりが生じない十分な剛性を有し、矩形湾部を有する柱係合部と該柱係合部より前記矩形湾部の入口側と直角な一方向に延びている足踏み部とからなり、前記矩形湾部に柱材の下端部を側面から相対的に嵌入させ、柱材の下端部正面側に張出す前記足踏み部に足を載せることで前記柱材に対してモーメント作用を生起して係合ロックしうる構成であることを特徴とする足踏み拘束式柱負荷具。
【請求項２】
前記矩形湾部に望む三辺の中の対向二辺について、一方の辺側を構成する第１部材と他方の辺側を構成する第２部材とが、第１部材及び第２部材の相互間に設ける適宜の位置決め手段により、前記矩形湾部の入口の寸法を角断面の一辺の寸法が異なる複数種類の前記柱材に対応して変更可能であることを特徴とする請求項１に記載の足踏み拘束式柱負荷具。
【請求項３】
前記矩形湾部に望む三辺の中の対向二辺の端縁が前記柱材の互いに正面と裏面となる一対の面に異なる高さで当接する状態を維持する掛止手段を前記足踏み部又は前記柱係合部に付設していることを特徴とする請求項１又は２に記載の足踏み拘束式柱負荷具。
【請求項４】
柱材を人手により立てて該柱材の下端面に形成したホゾを大引または床梁の上面に開けたホゾ穴に嵌め込むに際して、請求項１乃至３のいずれか一に記載の足踏み拘束式柱負荷具の矩形湾部に前記柱材の下端部を側面から相対的に嵌入させかつ柱係合部の矩形湾部に望む対向縁部を柱材の互いに正面と裏面となる一対の面に係止させて足踏み部を柱材の下端部正面側に張出させて、前記足踏み部に足を載せて体重を前記柱材に掛けて前記ホゾを前記ホゾ穴に嵌め込んで前記大引または床梁の上面に前記柱材を立て組みすることを特徴とする柱材の立て組み工法。
【発明の詳細な説明】
【技術分野】
【０００１】
本発明は、柱材を人手により立てて該柱材の下端面に形成したホゾを大引または床梁の上面に開けたホゾ穴に嵌め込む作業において、体重を柱材に掛けることができて、ホゾをホゾ穴に嵌め込むことが容易に行える足踏み拘束式柱負荷具及びに柱材の立て組み工法に関する。
【背景技術】
【０００２】
従来、柱材を人手により立てて該柱材の下端面に形成したホゾを大引または床梁の上面に開けたホゾ穴に嵌め込む作業について大工もしくは鳶一人で行うことは難しかった。ホゾをホゾ穴に嵌め込む作業は、ホゾをホゾ穴よりも大きく形成して推力を加えて強制的に嵌め込む必要があるので、ホゾをホゾ穴に合わせたら柱材の上端を該上端に設けたホゾを避けて木槌で叩くことでホゾをホゾ穴に嵌め込んでいた。木槌で叩いてもホゾをホゾ穴に嵌め込むことは容易ではない。柱材を人手により立てて該柱材の下端面に形成したホゾを大引または床梁の上面に開けたホゾ穴に嵌め込む作業を、大工もしくは鳶が一人で行っている方法は、柱材を立ててホゾをホゾ穴に合わせたら、柱材を前後左右に倒れないように小さな角度で揺動して、ホゾをホゾ穴にこじ入れるものであった。ホゾをホゾ穴にこじ入れると、ホゾが揉み扱かれて容易に繊維化してしまい、繊維化したホゾは、当初の強度を失う結果、地震時の水平剪弾力に耐えられる強度を失ってこととなる。
従って、ホゾをホゾ穴に強力に嵌め込むため柱材に推力を加えられる簡便な手動利器が求められているが、従来においては適切なものが提供されていない。
特許文献１は、梁材をクレーン等で水平に吊って該梁材の端面に形成したホゾを柱材のの側面に開けたホゾ穴に嵌め込む作業について、ホゾをホゾ穴に強力に嵌め込むことができる木材のほぞ嵌挿工具を提案している。
【特許文献１】特開２００２−３６４１７６号公報
【発明の開示】
【発明が解決しようとする課題】
【０００３】
特許文献１の木材のほぞ嵌挿工具は、柱材を人手により立てて該柱材の下端面に形成したホゾを大引または床梁の上面に開けたホゾ穴に嵌め込む作業に流用することが難しい。
本発明は、柱材を人手により立てて該柱材の下端面に形成したホゾを大引または床梁の上面に開けたホゾ穴に嵌め込む作業において、柱材の下端部に係合させて足踏み部を確保できて足踏み部に柱材に対して垂直荷重となる体重を掛けられホゾをホゾ穴に嵌め込むことが容易に行える足踏み拘束式柱負荷具及びに柱材の立て組み工法を提供するものである。
【課題を解決するための手段】
【０００４】
上記課題を解決するため、本発明の足踏み拘束式柱負荷具は、荷重を加えても折り曲がりが生じない十分な剛性を有し、矩形湾部を有する柱係合部と該柱係合部より前記矩形湾部の入口側と直角な一方向に延びている足踏み部とからなり、前記矩形湾部に柱材の下端部を側面から相対的に嵌入させ、柱材の下端部正面側に張出す前記足踏み部に足を載せることで前記柱材に対してモーメント作用を生起して係合ロックしうる構成であることを特徴とする。
上記構成により本発明によれば、柱材を立てた状態で前もって、足踏み拘束式柱負荷具の矩形湾部に前記柱材の下端部を側面から相対的に嵌入させかつ柱係合部の矩形湾部に望む対向縁部を柱材の互いに正面と裏面となる一対の面に係止させて足踏み部を柱材の下端部正面側に張出させた状態とする。そして、前記足踏み部に大工が一方の足を載せると、前記矩形湾部に望む三辺の中の対向二辺の端縁が前記柱材の互いに正面と裏面となる一対の面に異なる高さで当接させることにより前記柱材に対してモーメント作用を生起して係合ロックしうる状態になるから、前記足踏み部に大工が一方の足で載り他方の足を浮かせれば全体重を前記足踏み部に掛けることができ、反動をつければさらに大きな荷重を掛けることができる。従って、大工が一人だけで柱材を立てて該柱材の下端面に形成したホゾを大引または床梁の上面に開けたホゾ穴に適切に対応させてから、前記足踏み部に掛ける足の力を強く踏みつつ柱材を両手で左右前後に必要最小限度に振ってホゾをホゾ穴にこじ入れるようにして前記足踏み部に次第に大きな体重を掛けると、ホゾがホゾ穴に比較的円滑に嵌入していき、柱材を大引または床梁の上に立て組みすることができる。
【０００５】
柱材は数種類の太さがある。本発明の足踏み拘束式柱負荷具の矩形湾部に望む三辺の中の対向二辺の間隔寸法が柱材の太さに適切な寸法で対応していないと、不都合が生じる。矩形湾部に望む対向二辺の間隔寸法が柱材の太さ寸法よりも大きすぎると、前記柱材に対して足踏み部が大きく傾斜して該足踏み部に足を載せにくく、特に雨天では足が滑って危険になる。また反対に、矩形湾部に望む対向二辺の間隔寸法が柱材の太さ寸法とが接近していると、対向二辺の端縁が柱材の互いに正面と裏面となる一対の面に異なる高さで当接して柱材に対して生起するモーメント力が大きく得られなくなり係合ロックできない状態になる。従って、柱材の太さの相違に対して矩形湾部の入口の寸法を変更可能である汎用性を有することが望ましい。
そこで、本発明は、前記矩形湾部に望む三辺の中の対向二辺について、一方の辺側を構成する第１部材と他方の辺側を構成する第２部材とが、第１部材及び第２部材の相互間に設ける適宜の位置決め手段により、前記矩形湾部の入口の寸法を角断面の一辺の寸法が異なる複数種類の前記柱材に対応して変更可能であることを特徴とすることが好ましい。
【０００６】
本発明は、柱材の下端部に足踏み拘束式柱負荷具を係合させて足踏みして体重を掛けてホゾをホゾ穴に嵌め込むのものであり、足踏み拘束式柱負荷具は、足踏み部が張出すことにより重心に関係するモーメント作用で矩形湾部に望む三辺の中の対向二辺の端縁が前記柱材の互いに正面と裏面となる一対の面に異なる高さで当接する状態を自然に維持することができる。しかしながら、柱を立てる位置に移動して立てるときに、柱が周囲の梁などにぶつかることがあると、その衝撃でモーメント作用による係合が一瞬弛んで足踏み拘束式柱負荷具が柱材の下端部から外れてしまう虞が皆無ではない。これを回避するには、係合手段を備えていることが望ましい。
そこで、本発明は、前記矩形湾部に望む三辺の中の対向二辺の端縁が前記柱材の互いに正面と裏面となる一対の面に異なる高さで当接する状態を維持する掛止手段を前記足踏み部又は前記柱係合部に付設していることを特徴とすることが好ましい。
上述したように、本発明の柱材の立て組み工法は、柱材を人手により立てて該柱材の下端面に形成したホゾを大引または床梁の上面に開けたホゾ穴に嵌め込むに際して、請求項１又は２に記載の足踏み拘束式柱負荷具の矩形湾部に前記柱材の下端部を側面から相対的に嵌入させかつ柱係合部の矩形湾部に望む対向縁部を柱材の互いに正面と裏面となる一対の面に係止させて足踏み部を柱材の下端部正面側に張出させて、前記足踏み部に足を載せて体重を前記柱材に掛けて前記ホゾを前記ホゾ穴に嵌め込んで前記大引または床梁の上面に前記柱材を立て組みすることを特徴とするものである。
【発明の効果】
【０００７】
本発明によれば、柱材を人手により立てて該柱材の下端面に形成したホゾを大引または床梁の上面に開けたホゾ穴に嵌め込む作業において、柱材の下端部に係合させて足踏み部を確保できて足踏み部に柱材に対して垂直荷重となる体重を掛けられホゾをホゾ穴に嵌め込むことが容易に行えて、もって、大工が一人だけで柱材を大引または床梁の上に立て組みすることができ、ホゾを揉んで繊維化させてしまうことを回避できる。
【発明を実施するための最良の形態】
【０００８】
（実施形態１）
本発明の実施形態を図１、図２及び図３を用いて説明する。
図１（ａ）に示すように、足踏み拘束式柱負荷具Ａ１は、矩形湾部１を有する柱係合部２と該柱係合部２より前記矩形湾部１の入口側と直角な一方向に延びている足踏み部３とからなる。足踏み拘束式柱負荷具Ａ１は、図２（ａ）に示すように、水平にしたままで矩形湾部１に柱材Ｂの下端部を側面から相対的に嵌入させ、図２（ｂ）に示すように、足踏み部３を低くなるように傾斜させると、図２（ａ），図２（ｂ）に示すように、矩形湾部１に望む三辺の中の対向二辺の端縁２ａ，２ｂが前記柱材Ｂの互いに正面と裏面となる一対の面に対して足踏み部３側の端縁２ａが低く他方の端縁２ｂが高くなる異なる高さで当接させることができて、柱材Ｂの下端部正面側に張出す足踏み部３に大工が足を載せることで前記柱材Ｂに対してモーメント作用を生起して係合ロックして体重を掛けることができる構成である。足踏み部３には、滑り止め（図示しない）を設けることが望ましい。
足踏み拘束式柱負荷具Ａ１は、足踏み部３に大工が足を載せ体重を掛けても折り曲がりが生じない十分な剛性が必要である機械強度を備えて形成される。
この実施形態の足踏み拘束式柱負荷具Ａ１は、工具鋼、高張力鋼（ハイテンション鋼）、チタン鋼、ステンレス鋼、ジュラルミンなどの板状材に、矩形湾部１と柱係合部２と足踏み部３を有する輪郭となる切断加工することで製作できる。ジュラルミンを用いる場合には、比重が軽いので厚さ２０ｍｍ位としても大工が腰にぶら下げて持ち運びする上で重すぎることはない。また、ポリカーボネートなどの剛性を有するプラスチック材の成形品とすることもできる。
次に、本発明の柱材の立て組み工法を説明する。この工法は、足踏み拘束式柱負荷具Ａ１を用いる。
図３に示すように、大工が柱材Ｂを立てて該柱材Ｂの下端面に形成したホゾｂを大引または床梁Ｃの上面に開けたホゾ穴ｃに適切に対応させてから、図１（ａ），図２（ａ）に示すように、足踏み拘束式柱負荷具Ａ１の矩形湾部１に柱材Ｂの下端部を側面から相対的に嵌入させ、図１（ｂ），図２（ｂ）に示すように、足踏み拘束式柱負荷具Ａ１を傾斜させて、柱係合部２の矩形湾部１に望む対向縁部２ａ，２ｂを柱材Ｂの互いに正面と裏面となる一対の面に係止させ、足踏み拘束式柱負荷具Ａ１から手を離すと、足踏み拘束式柱負荷具Ａ１は、重心位置が足踏み部３の中ほどにあるので重心に関する重力モーメント作用を生起して、対向縁部２ａ，２ｂが柱材Ｂの互いに正面と裏面となる一対の面に係止した状態を維持する。
足踏み部３に大工が一方の足を軽く載せると、対向縁部２ａ，２ｂが柱材Ｂを完全にロックする。従って、対向縁部２ａ，２ｂが柱材に食い込んで傷を付けることがないように角に丸みをつけておくのが良い。
対向縁部２ａ，２ｂが柱材Ｂをロックするときの足踏み部３は、略水平ないし滑りが生じない限度の緩傾斜となるように構成する。足踏み拘束式柱負荷具Ａ１を１枚の板を折り曲げることなく、輪郭を切り抜く加工により形成する場合には、対向縁部２ａ，２ｂが柱材Ｂをロックするときの足踏み部３は、図２（ｂ）に示すように傾斜することになる。隙間が小さいと、足踏み拘束式柱負荷具Ａ１の傾斜が小さくて対向縁部２ａ，２ｂが柱材Ｂに対してロックすることができない。ロックさせるには、傾斜角度が１５度位になるように隙間を調整する。隙間が大きくなり過ぎると、足を載せると滑る虞ができてくる。そこで、対向縁部２ａ，２ｂが柱材Ｂをロックするときの足踏み部３が略水平になるようにするには、柱係合部２と足踏み部３の境界部で横方向から見て「く」の字に屈曲させれば良い。
足踏み部３に大工が一方の足で載り他方の足を浮かせれば全体重を前記足踏み部に掛けることができ、反動をつければさらに大きな荷重（推力）を掛けることができる。
ホゾｂのホゾ穴ｃへの嵌合が円滑にいかないときは、足踏み部３に掛ける足の力を強く踏みつつ柱材Ｂを両手で左右前後に必要最小限度に振ってホゾｂをホゾ穴ｃにこじ入れるようにすると、嵌入が進行する。嵌入が進行したら、足踏み部３に全体重を掛けて反動も加えてホゾｂをホゾ穴ｃにこじ入れる。もって、大工が一人だけで柱材Ｂを大引または床梁Ｃの上に立て組みすることができ、ホゾｂを揉んで繊維化させてしまうことを回避できる。
【０００９】
（実施形態２）
図４に示す足踏み拘束式柱負荷具Ａ２は、矩形湾部１を有する柱係合部２が平面部材であり、足踏み部３にブラケット４が設けられていて、柱係合部２とブラケット４とがヒンジ５によってリンクしていて、矩形湾部１に柱材Ｂを相対的に収容して、図１とは逆の傾斜となるようにして柱係合部２を柱材Ｂに係合させると、柱係合部２に対して足踏み部３が低い位置で略水平になり、柱材Ｂに対してセットできる。矩形湾部１は、足踏み部３の重力作用により傾斜を維持して縁部２ｂで柱材Ｂに強く当接し、足踏み部３の屈曲部と共同して柱材Ｂに係止する。この実施形態では、縁部２ｂの角ではなくて端面が柱材Ｂに密着するように構成するのが良い。
【００１０】
（実施形態３）
図５に示す足踏み拘束式柱負荷具Ａ３は、互いに重ね合わせてスライド可能で相互係止可能な第１部材Ａ３’と第２部材Ａ３”とからなる。第１部材Ａ３’は、図１に示す足踏み拘束式柱負荷具Ａ１の矩形湾部１よりも大きな矩形湾部を有して該足踏み拘束式柱負荷具Ａ１と形状がほぼ同一であり、第２部材Ａ３”は、第１部材Ａ３’の足踏み部に対してスライド可能で相互係止可能に重なっている。第１部材Ａ３’と第２部材Ａ３”とを相互係止可能にしている位置決め手段は、いかなる構成でも良いが、この実施形態では、第１部材Ａ３’と第２部材Ａ３”のいずれか一方に設けた係止ピン６が他方に設けた係止穴７に係合してスライドすることにより複数位置に位置決めされる構成である。
この実施形態では、第１部材Ａ３’の端縁２ｂ’と第２部材Ａ３”の先端との間隔が、柱材Ｂの断面の一辺の寸法よりも若干寸法大きくなるように、第１部材Ａ３’と第２部材Ａ３”とを相互係止して柱部材Ｂを係合ロックできる構成である。
本発明は、この実施形態が示すように、柱材Ｂを受け容れる矩形湾部の寸法が変更可能ないかなる構成も含んでいるものとする。例えば、図１に示す足踏み拘束式柱負荷具Ａ１の柱係合部２の縁部２ｂ側部分を先端に向かって幅が小さくなる形状とし、この縁部２ｂ側部分にスライド自在に嵌合するカーソル部材を設けて、該カーソル部材の端縁が柱係合部２の反対側の縁部２ａと平行になるように構成すると、カーソル部材を移動することにより、柱材Ｂを受け容れる矩形湾部の寸法を無段階に変更可能となり、しかも、柱材Ｂを受け容れて閉め付ける機能を有する構成も含まれる。
この実施形態によれば、数種類の太さがある柱材に対応できる汎用性があり、足踏み部の傾斜を足を載せて滑ることがない緩傾斜に保つことができ、実用性を確保できる。
【００１１】
（実施形態４）
図６に示す足踏み拘束式柱負荷具Ａ４は、図１に示す足踏み拘束式柱負荷具Ａ１の足踏み部３の上面にばね８によって付勢する付勢板９を設けた構成である。付勢板９は、ばね８の付勢に抗して引き起こし、図１（ａ）に示す足踏み拘束式柱負荷具Ａ１と同様に矩形湾部１に柱部材Ｂを相対的に収容してから、付勢板９の引き起こしを解除すると、柱部材Ｂ側へ倒れ、付勢板９が柱部材Ｂの正面に当接し、もって、柱部材Ｂを能動的に係合ロックできるので、足踏み拘束式柱負荷具Ａ４を柱部材Ｂを横にした状態でセットすることができる。
従って、柱部材Ｂを立てて持ち運びする際に多少の衝撃が加わっても、足踏み拘束式柱負荷具Ａ４が柱部材Ｂから外れないので、使い勝手が良い。
【図面の簡単な説明】
【００１２】
【図１】本発明の実施形態の足踏み拘束式柱負荷具の正面図である。
【図２】図１の足踏み拘束式柱負荷具を柱部材にセットした状態を示す図である。
【図３】図１の足踏み拘束式柱負荷具を用いて柱部材を立て組するところを示す図である。
【図４】本発明の他の実施形態の足踏み拘束式柱負荷具の正面図である。
【図５】本発明の他の実施形態の足踏み拘束式柱負荷具の正面図である。
【図６】本発明の他の実施形態の足踏み拘束式柱負荷具の正面図である。
【符号の説明】
【００１３】
Ａ１〜Ａ４  足踏み拘束式柱負荷具
Ｂ  柱材
１  矩形湾部
２  柱係合部
２ａ，２ｂ  端縁
３  足踏み部
【図１】
2006161437.tif 000003
【図２】
2006161437.tif 000004
【図３】
2006161437.tif 000005
【図４】
2006161437.tif 000006
【図５】
2006161437.tif 000007
【図６】
2006161437.tif 000008